(57)【特許請求の範囲】
【請求項１】
テープ巻取り部（２）を有する巻尺ケース（３）と、
前記テープ巻取り部（２）に巻き取られる目盛が表記された巻取りテープ（４）と、
前記巻尺ケース（３）に設けられたケース側コード取り付け部（１１）と、
前記巻取りテープ（４）の先端側に設けられたテープ側コード取り付け部（９）と、
前記巻尺ケース（３）の外側に出ている前記巻取りテープ（４）の上部側、下部側又は側部側に位置された、コード付勢巻取り部（５）を有し、該コード付勢巻取り部（５）に付勢巻取りされた一方の側に引き出される一方のコード（６）とこの一方のコード（６）の対向側に引き出される他方のコード（７）とを有し、前記一方のコード（６）の先端側が前記ケース側コード取り付け部（１１）に取り付けられ、前記他方のコード（７）の先端側が前記テープ側コード取り付け部（９）に取り付けられてなる中央位置特定装置（８）と、
前記中央位置特定装置（８）に設けられた、前記巻尺ケース（３）の外に引き出されている巻取りテープ（４）の部分であるテープ引き出され部分（Ａ）の前記目盛の中央位置を、視覚で特定可能な形態で指す中央位置印（１０）と、を備えてなるとともに、
前記巻尺ケース（３）から前記巻取りテープ（４）が引き出されるテープ引き出し動作に追随して、前記一方のコード（６）の先端側が前記ケース側コード取り付け部（１１）に取り付けられ、かつ、前記他方のコード（７）の先端側が前記テープ側コード取り付け部（９）に取り付けられていることで、前記一方のコード（６）と前記他方のコード（７）が前記コード付勢巻取り部（５）から同距離引き出されるコード引き出し動作をするものであり、
以上のように構成されたことを特徴とする巻尺。
【請求項２】
前記他方のコード（７）の端方側にはテープ取り付け部（１３）が設けられ、
前記テープ取り付け部（１３）は、前記テープ側コード取り付け部（９）に着脱自在形態で取り付け可能とされ、
前記テープ取り付け部（１３）を前記着脱自在形態で取り付け可能とする前記テープ側コード取り付け部（９）の形態は、切込み形態、穴形態、突起形態、磁着形態、面ファスナー接続形態、ねじ固定形態、フック形態、リング形態、掛け着脱取り付け形態であり、
以上のごとく構成されたことを特徴とする請求項１記載の巻尺。
【請求項３】
前記中央位置特定装置（８）は、第１の巻尺ケース内に設けられた、目盛が表記された第１のテープを巻き取る第１のテープ巻き取り部を有する第１の巻尺、第２の巻尺ケース内に設けられた、目盛が表記された第２のテープを巻き取る第２のテープ巻き取り部を有する第２の巻尺、前記第１のテープ巻き取り部と前記第２のテープ巻き取り部を連結し、かつ、前記第１の巻尺ケースと前記第２の巻尺ケースを連結することで、前記第１の巻尺と前記第２の巻尺を一体化してなるとともに、前記第１のテープ巻き取り部と前記第２のテープ巻き取り部の前記連結を解除することで、前記第１のテープのみを引き出し操作可能とする機構を有する形態のものを除く構成であることを特徴とする請求項１又は２に記載の巻尺。
【請求項４】
コード付勢巻取り部（５）、このコード付勢巻取り部（５）に付勢巻取りされた一方の側に引き出される一方のコード（６）、前記一方のコード（６）の対向側に引き出される前記コード付勢巻取り部（５）に付勢巻取りされた他方のコード（７）、前記一方のコード（６）の先端側に設けられたケース取り付け部（１２）、前記他方のコード（７）の先端側に設けられたテープ取り付け部（１３）、視覚で特定可能な形態で設けられた中央位置印（１０）とを有するとともに、
第１の巻尺ケース内に設けられた、目盛が表記された第１のテープを巻き取る第１のテープ巻き取り部を有する第１の巻尺、第２の巻尺ケース内に設けられた、目盛が表記された第２のテープを巻き取る第２のテープ巻き取り部を有する第２の巻尺、前記第１のテープ巻き取り部と前記第２のテープ巻き取り部を連結し、かつ、前記第１の巻尺ケースと前記第２の巻尺ケースを連結することで、前記第１の巻尺と前記第２の巻尺を一体化してなるとともに、前記第１のテープ巻き取り部と前記第２のテープ巻き取り部の前記連結を解除することで、前記第１のテープのみを引き出し操作可能とする機構を有する形態のものを除く構成であり、
以上のように構成された中央位置特定装置（８）を、取り付けることができる巻尺であって、
テープ巻取り部（２）を有する巻尺ケース（３）と、
前記テープ巻取り部（２）に巻き取られる目盛が表記された巻取りテープ（４）と、
前記巻尺ケース（３）に設けられた、前記ケース取り付け部（１２）を取り付けるためのケース側コード取り付け部（１１）と、
前記巻取りテープ（４）の先端側に設けられた、前記テープ取り付け部（１３）を取り付けるためのテープ側コード取り付け部（９）と、を備えるとともに、
前記ケース取り付け部（１２）にケース側コード取り付け部（１１）を取り付け、前記テープ取り付け部（１３）にテープ側コード取り付け部（９）を取り付けた状態である、前記中央位置特定装置（８）の取り付け状態では、前記巻尺ケース（３）から前記巻取りテープ（４）が引き出されるテープ引き出し動作に追随して、前記一方のコード（６）の先端側が前記ケース側コード取り付け部（１１）に取り付けられ、かつ、前記他方のコード（７）の先端側が前記テープ側コード取り付け部（９）に取り付けられていることで、前記一方のコード（６）と前記他方のコード（７）が前記コード付勢巻取り部（５）から同距離引き出されるコード引き出し動作をし、前記巻尺ケース（３）から引き出された前記巻取りテープ（４）の部分であるテープ引き出され部分（Ａ）の前記目盛の中央位置を、前記中央位置印（１０）が指していることが視覚で特定可能な形態であり、
以上のごとく構成されたことを特徴とする巻尺。
【請求項５】
前記巻尺ケース（３）に、前記テープ側コード取り付け部（９）から前記テープ取り付け部（１３）を外した状態で、かつ、前記ケース側コード取り付け部（１１）に前記ケース取り付け部（１２）を取り付けた状態で、前記中央位置特定装置（８）を退避保持しておくための退避保持部（３３）を設けたことを特徴とする請求項２又は４に記載の巻尺。
【請求項６】
テープ巻取り部（２）を有する巻尺ケース（３）、前記テープ巻取り部（２）に巻き取られる目盛が表記された巻取りテープ（４）、前記巻尺ケース（３）に設けられたケース側コード取り付け部（１１）、前記巻取りテープ（４）の先端側に設けられたテープ側コード取り付け部（９）と、を備える巻尺に、取り付けて機能させることを可能とした巻尺用中央位置特定装置であって、
コード付勢巻取り部（５）と、
このコード付勢巻取り部（５）に付勢巻取りされた、一方の側に引き出される一方のコード（６）と、
前記一方のコード（６）の対向側に引き出される、前記コード付勢巻取り部（５）に付勢巻取りされた他方のコード（７）と、
前記一方のコード（６）の先端側に設けられた、前記巻尺の前記ケース側コード取り付け部（１１）に取り付けられるケース取り付け部（１２）と、
前記他方のコード（７）の先端側に設けられた、前記巻尺の前記テープ側コード取り付け部（９）に取り付けられるテープ取り付け部（１３）と、
前記巻尺ケース（３）の外に引き出されている巻取りテープ（４）の部分であるテープ引き出され部分（Ａ）の前記目盛の中央位置を、視覚で特定可能な形態で指す中央位置印（１０）と、を有するとともに、
前記ケース取り付け部（１２）が前記ケース側コード取り付け部（１１）に取り付けられ、かつ、前記テープ取り付け部（１３）が前記テープ側コード取り付け部（９）に取り付けられた取り付け状態では、前記巻尺ケース（３）から前記巻取りテープ（４）が引き出されるテープ引き出し動作に追随して、前記一方のコード（６）の先端側が前記ケース側コード取り付け部（１１）に取り付けられ、かつ、前記他方のコード（７）の先端側が前記テープ側コード取り付け部（９）に取り付けられていることで、前記一方のコード（６）と前記他方のコード（７）が前記コード付勢巻取り部（５）から同距離引き出されるコード引き出し動作をする、
以上のように構成されたことを特徴とする巻尺用中央位置特定装置。
【請求項７】
中央位置印（１０）が、前記コード付勢巻取り部（５）又は該コード付勢巻取り部（５）と一体的に移動する部品に設けられ、
前記巻尺用中央位置特定装置の構成は、第１の巻尺ケース内に設けられた、目盛が表記された第１のテープを巻き取る第１のテープ巻き取り部を有する第１の巻尺、第２の巻尺ケース内に設けられた、目盛が表記された第２のテープを巻き取る第２のテープ巻き取り部を有する第２の巻尺、前記第１のテープ巻き取り部と前記第２のテープ巻き取り部を連結し、かつ、前記第１の巻尺ケースと前記第２の巻尺ケースを連結することで、前記第１の巻尺と前記第２の巻尺を一体化してなるとともに、前記第１のテープ巻き取り部と前記第２のテープ巻き取り部の前記連結を解除することで、前記第１のテープのみを引き出し操作可能とする機構を有する形態のものを除く構成であり、
以上のように構成されたことを特徴とする請求項６記載の巻尺用中央位置特定装置。
【発明の詳細な説明】
【技術分野】
【０００１】
本発明は、中央位置を特定するための中央位置特定装置を有する巻尺及び巻尺用中央位置特定装置に関する。
【背景技術】
【０００２】
従来の巻尺は、中央位置の特定は巻尺テープの目盛りを数字化して読み取りその１／２数字を割り算して求め、巻尺テープ上の１／２数字位置を特定して被測定物に中央位置印を線画等していた。（例えば、特許文献１．）
【先行技術文献】
【特許文献】
【０００３】
【特許文献１】特許第４４２０６５７号
【発明の概要】
【発明が解決しようとする課題】
【０００４】
上述した従来技術は、巻尺テープの目盛りを数字化して読み取りその１／２数字を割り算して求め、巻尺テープ上の１／２数字位置を特定して被測定物に中央位置印を線画等するという手順によるものであるため、目盛りや数字の読み間違い、１／２計算の計算間違い、巻尺テープ上の１／２数字位置の目盛りの読み間違いなどによる特定誤りなどが生じるリスクがあるという欠点を有するものであり、中央位置の特定時間に個人差が生じ、全体として作業時間を長くしてしまうという欠点を有するものであった。
【０００５】
本発明は以上のような従来技術の欠点に鑑み、巻尺テープ上の１／２数字位置（中央位置）を目盛り計算することなく特定することを可能する巻尺及び巻尺用中央位置特定装置を提供することを目的としている。
【課題を解決するための手段】
【０００６】  上記目的を達成するために、本発明は次に述べるような構成となっている。
［請求項１記載の発明］
テープ巻取り部（２）を有する巻尺ケース（３）と、
前記テープ巻取り部（２）に巻き取られる目盛が表記された巻取りテープ（４）と、
前記巻尺ケース（３）に設けられたケース側コード取り付け部（１１）と、
前記巻取りテープ（４）の先端側に設けられたテープ側コード取り付け部（９）と、
前記巻尺ケース（３）の外側に出ている前記巻取りテープ（４）の上部側、下部側又は側部側に位置された、コード付勢巻取り部（５）を有し、該コード付勢巻取り部（５）に付勢巻取りされた一方の側に引き出される一方のコード（６）とこの一方のコード（６）の対向側に引き出される他方のコード（７）とを有し、前記一方のコード（６）の先端側が前記ケース側コード取り付け部（１１）に取り付けられ、前記他方のコード（７）の先端側が前記テープ側コード取り付け部（９）に取り付けられてなる中央位置特定装置（８）と、
前記中央位置特定装置（８）に設けられた、前記巻尺ケース（３）の外に引き出されている巻取りテープ（４）の部分であるテープ引き出され部分（Ａ）の前記目盛の中央位置を、視覚で特定可能な形態で指す中央位置印（１０）と、
を備えてなるとともに、
前記巻尺ケース（３）から前記巻取りテープ（４）が引き出されるテープ引き出し動作に追随して、前記一方のコード（６）の先端側が前記ケース側コード取り付け部（１１）に取り付けられ、かつ、前記他方のコード（７）の先端側が前記テープ側コード取り付け部（９）に取り付けられていることで、前記一方のコード（６）と前記他方のコード（７）が前記コード付勢巻取り部（５）から同距離引き出されるコード引き出し動作をするものであり、
以上のように構成されたことを特徴とする巻尺である。
［請求項２記載の発明］
前記他方のコード（７）の端方側にはテープ取り付け部（１３）が設けられ、
前記テープ取り付け部（１３）は、前記テープ側コード取り付け部（９）に着脱自在形態で取り付け可能とされ、
前記テープ取り付け部（１３）を前記着脱自在形態で取り付け可能とする前記テープ側コード取り付け部（９）の形態は、切込み形態、穴形態、突起形態、磁着形態、面ファスナー接続形態、ねじ固定形態、フック形態、リング形態、掛け着脱取り付け形態であり、
以上のごとく構成されたことを特徴とする請求項１記載の巻尺である。
［請求項３記載の発明］
前記中央位置特定装置（８）は、第１の巻尺ケース内に設けられた、目盛が表記された第１のテープを巻き取る第１のテープ巻き取り部を有する第１の巻尺、第２の巻尺ケース内に設けられた、目盛が表記された第２のテープを巻き取る第２のテープ巻き取り部を有する第２の巻尺、前記第１のテープ巻き取り部と前記第２のテープ巻き取り部を連結し、かつ、前記第１の巻尺ケースと前記第２の巻尺ケースを連結することで、前記第１の巻尺と前記第２の巻尺を一体化してなるとともに、前記第１のテープ巻き取り部と前記第２のテープ巻き取り部の前記連結を解除することで、前記第１のテープのみを引き出し操作可能とする機構を有する形態のものを除く構成であることを特徴とする請求項１又は２に記載の巻尺である。
［請求項４記載の発明］
コード付勢巻取り部（５）、このコード付勢巻取り部（５）に付勢巻取りされた一方の側に引き出される一方のコード（６）、前記一方のコード（６）の対向側に引き出される前記コード付勢巻取り部（５）に付勢巻取りされた他方のコード（７）、前記一方のコード（６）の先端側に設けられたケース取り付け部（１２）、前記他方のコード（７）の先端側に設けられたテープ取り付け部（１３）、視覚で特定可能な形態で設けられた中央位置印（１０）とを有するとともに、
第１の巻尺ケース内に設けられた、目盛が表記された第１のテープを巻き取る第１のテープ巻き取り部を有する第１の巻尺、第２の巻尺ケース内に設けられた、目盛が表記された第２のテープを巻き取る第２のテープ巻き取り部を有する第２の巻尺、前記第１のテープ巻き取り部と前記第２のテープ巻き取り部を連結し、かつ、前記第１の巻尺ケースと前記第２の巻尺ケースを連結することで、前記第１の巻尺と前記第２の巻尺を一体化してなるとともに、前記第１のテープ巻き取り部と前記第２のテープ巻き取り部の前記連結を解除することで、前記第１のテープのみを引き出し操作可能とする機構を有する形態のものを除く構成であり、
以上のように構成された中央位置特定装置（８）を、取り付けることができる巻尺であって、
テープ巻取り部（２）を有する巻尺ケース（３）と、
前記テープ巻取り部（２）に巻き取られる目盛が表記された巻取りテープ（４）と、
前記巻尺ケース（３）に設けられた、前記ケース取り付け部（１２）を取り付けるためのケース側コード取り付け部（１１）と、
前記巻取りテープ（４）の先端側に設けられた、前記テープ取り付け部（１３）を取り付けるためのテープ側コード取り付け部（９）と、を備えるとともに、
前記ケース取り付け部（１２）にケース側コード取り付け部（１１）を取り付け、前記テープ取り付け部（１３）にテープ側コード取り付け部（９）を取り付けた状態である、前記中央位置特定装置（８）の取り付け状態では、前記巻尺ケース（３）から前記巻取りテープ（４）が引き出されるテープ引き出し動作に追随して、前記一方のコード（６）の先端側が前記ケース側コード取り付け部（１１）に取り付けられ、かつ、前記他方のコード（７）の先端側が前記テープ側コード取り付け部（９）に取り付けられていることで、前記一方のコード（６）と前記他方のコード（７）が前記コード付勢巻取り部（５）から同距離引き出されるコード引き出し動作をし、前記巻尺ケース（３）から引き出された前記巻取りテープ（４）の部分であるテープ引き出され部分（Ａ）の前記目盛の中央位置を、前記中央位置印（１０）が指していることが視覚で特定可能な形態であり、
以上のごとく構成されたことを特徴とする巻尺である。
［請求項５記載の発明］
前記巻尺ケース（３）に、前記テープ側コード取り付け部（９）から前記テープ取り付け部（１３）を外した状態で、かつ、前記ケース側コード取り付け部（１１）に前記ケース取り付け部（１２）を取り付けた状態で、前記中央位置特定装置（８）を退避保持しておくための退避保持部（３３）を設けたことを特徴とする請求項２又は４に記載の巻尺である。
［請求項６記載の発明］
テープ巻取り部（２）を有する巻尺ケース（３）、前記テープ巻取り部（２）に巻き取られる目盛が表記された巻取りテープ（４）、前記巻尺ケース（３）に設けられたケース側コード取り付け部（１１）、前記巻取りテープ（４）の先端側に設けられたテープ側コード取り付け部（９）と、を備える巻尺に、取り付けて機能させることを可能とした巻尺用中央位置特定装置であって、
コード付勢巻取り部（５）と、
このコード付勢巻取り部（５）に付勢巻取りされた、一方の側に引き出される一方のコード（６）と、
前記一方のコード（６）の対向側に引き出される、前記コード付勢巻取り部（５）に付勢巻取りされた他方のコード（７）と、
前記一方のコード（６）の先端側に設けられた、前記巻尺の前記ケース側コード取り付け部（１１）に取り付けられるケース取り付け部（１２）と、
前記他方のコード（７）の先端側に設けられた、前記巻尺の前記テープ側コード取り付け部（９）に取り付けられるテープ取り付け部（１３）と、
前記巻尺ケース（３）の外に引き出されている巻取りテープ（４）の部分であるテープ引き出され部分（Ａ）の前記目盛の中央位置を、視覚で特定可能な形態で指す中央位置印（１０）と、を有するとともに、
前記ケース取り付け部（１２）が前記ケース側コード取り付け部（１１）に取り付けられ、かつ、前記テープ取り付け部（１３）が前記テープ側コード取り付け部（９）に取り付けられた取り付け状態では、前記巻尺ケース（３）から前記巻取りテープ（４）が引き出されるテープ引き出し動作に追随して、前記一方のコード（６）の先端側が前記ケース側コード取り付け部（１１）に取り付けられ、かつ、前記他方のコード（７）の先端側が前記テープ側コード取り付け部（９）に取り付けられていることで、前記一方のコード（６）と前記他方のコード（７）が前記コード付勢巻取り部（５）から同距離引き出されるコード引き出し動作をする、
以上のように構成されたことを特徴とする巻尺用中央位置特定装置である。
［請求項７記載の発明］
中央位置印（１０）が、前記コード付勢巻取り部（５）又は該コード付勢巻取り部（５）と一体的に移動する部品に設けられ、
前記巻尺用中央位置特定装置の構成は、第１の巻尺ケース内に設けられた、目盛が表記された第１のテープを巻き取る第１のテープ巻き取り部を有する第１の巻尺、第２の巻尺ケース内に設けられた、目盛が表記された第２のテープを巻き取る第２のテープ巻き取り部を有する第２の巻尺、前記第１のテープ巻き取り部と前記第２のテープ巻き取り部を連結し、かつ、前記第１の巻尺ケースと前記第２の巻尺ケースを連結することで、前記第１の巻尺と前記第２の巻尺を一体化してなるとともに、前記第１のテープ巻き取り部と前記第２のテープ巻き取り部の前記連結を解除することで、前記第１のテープのみを引き出し操作可能とする機構を有する形態のものを除く構成であり、
以上のように構成されたことを特徴とする請求項６記載の巻尺用中央位置特定装置である。
【発明の効果】
【０００７】
以上の説明から明らかなように、本発明にあっては次に列挙する効果が得られる。
［請求項１記載の発明の効果］
巻尺ケース（３）から巻取りテープ（４）が引き出されるテープ引き出し動作に追随して、一方のコード（６）と他方のコード（７）が引き出されるコード引き出し動作するので、中央位置特定装置（８）は常に巻尺ケース（３）の外に引き出されている巻取りテープ（４）の部分であるテープ引き出され部分の中央に位置することになる。よって、中央位置特定装置（８）のテープ引き出され部分の中央位置となる部位に印（中央位置印）を設けることにより、テープ引き出され部分の中央位置が常に視覚のみで特定することを可能とできるので、例えば、被測定材料の中央位置に誤りなく線画等を施すことを可能とする。
また、中央位置印（１０）により視覚のみで一瞬にテープ引き出され部分の中央位置を認視してペン等で被測定材料に間違うことなく正確な線画等を行うことを実現する。
［請求項２記載の発明の効果］
前記請求項１記載の発明と同様な効果を奏するとともに、巻取りテープ（４）の先端側に他方のコード（７）の端方側を着脱自在形態で取り付け可能としたテープ側コード取り付け部（９）を設けているので、他方のコード（７）をテープ側コード取り付け部（９）から外して、巻取りテープ（４）のみによる測定使用も可能としている。
［請求項３記載の発明の効果］
前記請求項１又は２記載の発明と同様な効果を奏する。
［請求項４記載の発明の効果］
コード付勢巻取り部（５）、このコード付勢巻取り部（５）に付勢巻取りされた一方の側に引き出される一方のコード（６）、前記一方のコード（６）の対向側に引き出される前記コード付勢巻取り部（５）に付勢巻取りされた他方のコード（７）、前記一方のコ−ド（６）の先端側に設けられたケ−ス取り付け部（１２）、前記他方のコード（７）の先端側に設けられたテープ取り付け部（１３）、視覚で特定可能な形態で設けられた中央位置印（１０）とを有するとともに、
前記巻尺用中央位置特定装置の構成は、第１の巻尺ケース内に設けられた、目盛が表記された第１のテープを巻き取る第１のテープ巻き取り部を有する第１の巻尺、第２の巻尺ケース内に設けられた、目盛が表記された第２のテープを巻き取る第２のテープ巻き取り部を有する第２の巻尺、前記第１のテープ巻き取り部と前記第２のテープ巻き取り部を連結し、かつ、前記第１の巻尺ケースと前記第２の巻尺ケースを連結することで、前記第１の巻尺と前記第２の巻尺を一体化してなるとともに、前記第１のテープ巻き取り部と前記第２のテープ巻き取り部の前記連結を解除することで、前記第１のテープのみを引き出し操作可能とする機構を有する形態のものを除く構成であり、
以上のように構成された中央位置特定装置（８）を、取り付けることができる巻尺であって、
テープ巻取り部（２）を有する巻尺ケース（３）と、
前記テープ巻取り部（２）に巻き取られる目盛が表記された巻取りテープ（４）と、
前記巻尺ケース（３）に設けられた、前記ケ−ス取り付け部（１２）を取り付けるためのケース側コード取り付け部（１１）と、
前記巻取りテープ（４）の先端側に設けられた、前記テープ取り付け部（１３）を取り付けるためのテープ側コード取り付け部（９）と、を備えるとともに、
前記ケ−ス取り付け部（１２）にケース側コード取り付け部（１１）を取り付け、前記テープ取り付け部（１３）にテープ側コード取り付け部（９）を取り付けた状態である、前記中央位置特定装置（８）の取り付け状態では、前記巻尺ケース（３）から前記巻取りテープ（４）が引き出されるテープ引き出し動作に追随して、前記一方のコード（６）の先端側が前記ケース側コード取り付け部（１１）に取り付けられ、かつ、前記他方のコード（７）の先端側が前記テープ側コード取り付け部（９）に取り付けられていることで、前記一方のコード（６）と前記他方のコード（７）が前記コード付勢巻取り部（５）から同距離引き出されるコード引き出し動作をし、前記巻尺ケース（３）から引き出された前記巻取りテープ（４）の部分であるテープ引き出され部分（Ａ）の前記目盛の中央位置を、前記中央位置印（１０）が指していることが視覚で特定可能な形態であり、
以上のごとく構成されたことを特徴とする巻尺であるので、中央位置特定装置（８）を取り付けて使用できる巻尺を実現する。
中央位置特定装置（８）が取り付けられた巻尺は前記請求項１記載の発明と同様な効果を奏する。
［請求項５記載の発明の効果］
請求項１，２，３又は４に記載の発明と同様な効果を奏するともに、巻尺ケース（３）に中央位置特定装置（８）を退避保持しておくことで、中央位置特定装置（８）を気にすることなく通常の測定操作等が行える。
［請求項６記載の発明の効果］
テープ巻取り部（２）を有する巻尺ケース（３）、前記テープ巻取り部（２）に巻き取られる目盛が表記された巻取りテープ（４）、前記巻尺ケース（３）に設けられたケース側コード取り付け部（１１）、前記巻取りテープ（４）の先端側に設けられたテープ側コード取り付け部（９）と、を備える巻尺に、取り付けて機能させることを可能とした巻尺用中央位置特定装置であって、
コード付勢巻取り部（５）と、
このコード付勢巻取り部（５）に付勢巻取りされた、一方の側に引き出される一方のコード（６）と、
前記一方のコード（６）の対向側に引き出される、前記コード付勢巻取り部（５）に付勢巻取りされた他方のコード（７）と、
前記一方のコ−ド（６）の先端側に設けられた、前記巻尺の前記ケース側コード取り付け部（１１）に取り付けられるケ−ス取り付け部（１２）と、
前記他方のコード（７）の先端側に設けられた、前記巻尺の前記テープ側コード取り付け部（９）に取り付けられるテープ取り付け部（１３）と、
前記巻尺ケース（３）の外に引き出されている巻取りテープ（４）の部分であるテープ引き出され部分（Ａ）の前記目盛の中央位置を、視覚で特定可能な形態で指す中央位置印（１０）と、を有するとともに、
前記ケース取り付け部（１２）が前記ケース側コード取り付け部（１１）に取り付けられ、かつ、前記テープ取り付け部（１３）が前記テープ側コード取り付け部（９）に取り付けられた取り付け状態では、前記巻尺ケース（３）から前記巻取りテープ（４）が引き出されるテープ引き出し動作に追随して、前記一方のコード（６）の先端側が前記ケース側コード取り付け部（１１）に取り付けられ、かつ、前記他方のコード（７）の先端側が前記テープ側コード取り付け部（９）に取り付けられていることで、前記一方のコード（６）と前記他方のコード（７）が前記コード付勢巻取り部（５）から同距離引き出されるコード引き出し動作をする、
以上のように構成されたことを特徴とする巻尺用中央位置特定装置であるので、巻尺に巻尺用中央位置特定装置を取り付けて使用することを実現する。
巻尺用中央位置特定装置を取り付けた巻尺は前記請求項１記載の発明と同様な効果を奏する。
［請求項７記載の発明の効果］
請求項６記載の発明と同様な効果を奏する。
【図面の簡単な説明】
【０００８】
【図１】本発明の実施例１を示す巻取りテープが完全に巻き取られた状態の側面図（ａ）及び巻取りテープを引き出した状態の側面図（ｂ）。
【図２】本発明の実施例１を示す巻取りテープを引き出した状態の平面図（ａ）及びテープ側コード取り付け部からテープ取り付け部を外し巻取りテープを引き出した状態の側面図（ｂ）。
【図３】本発明の実施例１を示す巻取りテープが完全に巻き取られた状態の平面図。
【図４】本発明の実施例２を示す巻取りテープを引き出した状態の側面図。
【図５】本発明の実施例２を示す巻取りテープが完全に巻き取られた状態の平面図。
【図６】本発明の実施例２のＡ−Ａ線切断断面図。
【図７】本発明の実施例３を示す巻取りテープが完全に巻き取られた状態の平面図（ａ）及びＢ−Ｂ線切断断面図（ｂ）。
【図８】本発明の実施例４を示す巻取りテープを引き出した状態の側面図。
【発明を実施するための形態】
【０００９】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１０】
図１〜図３に示す本発明の実施例１において、巻尺１は次のような構成となっている。
巻尺ケース３と、
巻尺ケース３内に巻取り収納された目盛りが表記された巻取りテープ４と、
巻尺ケース３内に設けられた、巻取りテープ４をゼンマイの巻付勢力により付勢巻取りするテープ巻取り部２と、
巻尺ケース３の外側に出ている巻取りテープ４の上部側に位置（下部側又は側部側位置でもよい）された、コード付勢巻取り部５を有し、該コード付勢巻取り部５に付勢巻取りされた一方の側に引き出される一方のコード６とこの一方のコード６の対向側に引き出される他方のコード７とを有する中央位置特定装置８とを備えてなるとともに、
一方のコード６の端方側が巻尺ケース３側に取り付けられ（ここでは固定取り付け形態）、
他方のコード７の端方側が巻取りテープ４の先端側に取り付けられ、
巻尺ケース３から巻取りテープ４が引き出されるテープ引き出し動作に追随して、一方のコード６と他方のコード７が同距離引き出されるコード引き出し動作をする。
【００１１】
中央位置特定装置８の下部には、上部に透明プレート２０が設けられ、透明プレート２０に下部には巻取りテープ４が移動自在に通された支持案内部２１が設けられている。
透明プレート２０には、常に巻尺ケース３の外に引き出されている巻取りテープ（４）の部分であるテープ引き出され部分Ａの中央に位置を常に指す中央位置印１０が設けられている。
【００１２】
巻取りテープ４の先端側下部には被測定物などに引掛ける引掛け部２２が設けられている。
引掛け部２２の巻取りテープ４の上方にはテープ側コード取り付け部９が設けられている。
他方のコード７の先端にはプレート形態ないし塊形態のストッパーからなるテープ取り付け部１３が設けられている。
テープ側コード取り付け部９には切込み形態（縦切込み形態、横切込み形態のいずれでもよい。）のコード入れ部２３が設けられ、コード入れ部２３に他方のコード７を差し込み状態としテープ取り付け部１３が抜け止めとなった、着脱自在形態で取り付け状態とされる。
テープ側コード取り付け部９から他方のコード７を外す形態とすることにより、単なる一般的な巻尺としての使用形態を可能としている。（図２の（ｂ）図参照）
テープ側コード取り付け部９は、切込み形態以外に、穴形態、突起形態、磁着形態、面ファスナー接続形態、ねじ固定形態、フック（リングも含む）掛け着脱取り付け形態など多様な形態がある。
【００１３】
図３に示すように、中央位置特定装置８の長さを４０ｍｍ（ここでは、透明プレート２０の長さ）としているので、巻取りテープ４の最大巻取り状態でのテープ引き出され部分Ａの長さは４０ｍｍとなり、中央位置印１０は目盛りの２０ｍｍ部分を指すことになる（指している）。
引掛け部２２は表側を当てた場合と裏側を当てた場合とで常に目盛りの０位置となるように、その厚み分だけ可動するようになっていて、テープ側コード取り付け部９も引掛け部２２と一体的に可動するようになっている。
【実施例２】
【００１４】
図４〜図６に示す本発明の実施例２において前記実施例１と主に異なる点は、巻尺ケース３の下部にテープ引き出され部分Ａの終端位置を示しかつ被測定物Ｗに掛かる下方向き突起形態の終端位置掛部２５を設け、中央位置特定装置８の形態を透明プレート２０及び支持案内部２１を設けないコード付勢巻取り部５のみの形態とし、中央位置印１０をコード付勢巻取り部５の上部面に設け、巻尺ケース３の前部下方側に一方のコード６を着脱自在形態で取り付けることを可能としたケース側コード取り付け部１１を設け、テープ側コード取り付け部９をテープ取り付け部１３を摩擦挟持する一対の挟持プレート２６ａ、２６ｂとからなる形態とした点にある。
被測定物Ｗを引掛け部２２と終端位置掛部２５で挟み状態とするだけで、中央位置印１０は被測定物Ｗの中央位置を自動的に指し示す。
【００１５】
挟持プレート２６ａ、２６ｂの内側に位置する挟持プレート２６ａにコード入れ部２３が設けられていて、テープ取り付け部１３はプレート形態で上部が挟持プレート２６ａ、２６ｂに露出して、指で摘み抜き差し操作が容易にできるようになっている。挟持プレート２６ａ、２６ｂに挟まれ挟持されているテープ取り付け部１３は、その挟持摩擦によって抜け難く保持される。
【００１６】
ケース側コード取り付け部１１は、一方のコード６に設けられたケース取り付け部１２が挿入される挿入開口２８と、該挿入開口２８の下方に連絡形態で設けられた一方のコード６が差し込まれる縦溝形態のコード差し込み部１９が設けられた形態となっている。
コード差し込み部１９は一方のコード６を摩擦形態で保持する溝幅となっている。
ケース側コード取り付け部１１は、一方のコード６の着脱形態を溝形態に限定されず、例えば、ねじによる着脱取り付け形態、面ファスナによる着脱取り付け形態、磁着による着脱取り付け形態、フック（リングも含む）掛け着脱取り付け形態など多様な形態がある。
【００１７】
テープ巻取り部２を有する巻尺ケース３と、
前記テープ巻取り部２に巻き取られる巻取りテープ４と、
前記巻尺ケース３に設けられた、コード付勢巻取り部５を有し、該コード付勢巻取り部５に付勢巻取りされた一方の側に引き出される一方のコード６とこの一方のコード６の対向側に引き出される他方のコード７とを有する中央位置特定装置８の、前記一方のコード６を取り付けることを可能としたケース側コード取り付け部１１と、
前記巻尺ケース３の外側に出ている前記巻取りテープ４の先端側に設けられた、前記他方のコード７を取り付けることを可能としたテープ側コード取り付け部９と、を備えたことを特徴とする巻尺もよい。
【００１８】
コード付勢巻取り部５を有し、該コード付勢巻取り部５に付勢巻取りされた一方の側に引き出される一方のコード６とこの一方のコード６の対向側に引き出される他方のコード７とを有する巻尺用中央位置特定装置であって、
前記一方のコード６の先端側には、巻尺ケース３に備えられているケース側コード取り付け部１１に取り付けるためのケース取り付け部１２が設けられ、
前記他方のコード７の端方側には、前記巻尺１の巻取りテープ４の端方側に設けられたテープ側コード取り付け部９に取り付けるためのテープ取り付け部１３が設けられ、
以上の構成を備えてなることを特徴とする巻尺用中央位置特定装置もよい。
さらに、前記巻尺ケース３から引き出し状態に在る前記巻取りテープ４の中央位置を示す中央位置印１０が、前記コード付勢巻取り部５又は該コード付勢巻取り部５と一体的に移動する部品に設けられたことを特徴とする巻尺用中央位置特定装置とするのもよい。
【実施例３】
【００１９】
図７に示す本発明の実施例３において前記実施例１と主に異なる点は、ケース側コード取り付け部１１を、巻尺ケース３の下方側から上部側に向けて上部貫通形態（下部は止まり形態）で該巻尺ケース３の前部側に設けられた一方のコード６が差し込まれ案内される、ケース取り付け部１２よりも狭い（ケース取り付け部１２が抜け通らない）開口溝形態のコード案内支持溝３１と、巻尺ケース３の上部面に設けたコード案内支持溝３１に連絡されたケース取り付け部１２が上方に抜け通る開口形態の取り付け部差し込み部３２とからなる形態とした点にある。
中央位置特定装置８を巻尺ケース３の上前方に位置させて、ケース取り付け部１２を取り付け部差し込み部３２に差し込み同時に一方のコード６をコード案内支持溝３１内に位置させ、中央位置特定装置８及びケース取り付け部１２を下げ移動させて下方に位置させ、テープ取り付け部１３を指で摘み他方のコード７をコード入れ部２３に差し込む。これによって、中央位置特定装置８がセットされた状態となる。
【実施例４】
【００２０】
図８に示す本発明の実施例４において前記実施例２と主に異なる点は、巻尺ケース３の前部面に中央位置特定装置８を該巻尺ケース３に退避保持しておくための退避保持部３３を設けた点にある。
退避保持部３３には磁石が設けられ、中央位置特定装置８には鉄が設けられ、磁石への鉄の磁着によって退避保持されるようになっている。
退避保持部３３に鉄（巻尺ケース３が鉄製部材からなるものを含む）を設け中央位置特定装置８に磁石を設ける形態もよいし、両者を磁石にしてもよい。
また、退避保持部３３は、中央位置特定装置８を退避保持せれる形態であればどのような形態でもよく、例えば、面ファスナー同士の接合保持、フック形態の掛け保持、嵌め穴と嵌め突起による嵌合保持形態などがある。
【産業上の利用可能性】
【００２１】
本発明は、巻尺を製造し販売する産業で利用される。
【符号の説明】
【００２２】
Ａ：テープ引き出され部分、
Ｗ：被測定物，
１：巻尺、
２：テープ巻取り部、
３：巻尺ケース、
４：巻取りテープ、
５：コード付勢巻取り部、
６：一方のコード、
７：他方のコード、
８：中央位置特定装置、
９：テープ側コード取り付け部、
１０：中央位置印、
１１：ケース側コード取り付け部、
１２：ケース取り付け部、
１３：テープ取り付け部、
１９：コード差し込み部、
２０：透明プレート、
２１：支持案内部、
２２：引掛け部、
２３：コード入れ部、
２５：終端位置掛部、
２６ａ：挟持プレート、
２６ｂ：挟持プレート、
２８：挿入開口、
２９：テープ引き出し口。
３１：コード案内支持溝、
３２：取り付け部差し込み部、
３３：退避保持部。
【要約】      （修正有）【課題】巻尺テープ上の１／２数字位置を目盛り計算をすることなく特定することを可能にする巻尺。【解決手段】巻尺ケース３の外側に出ている巻取りテープ４の上部側に位置（下部側又は側部側位置でもよい）された、コード付勢巻取り部５を有し、該コード付勢巻取り部５に付勢巻取りされた一方の側に引き出される一方のコード６とこの一方のコード６の対抗側に引き出される他方のコード７とを有する中央位置特定装置８とを備えた構成である。【選択図】図１【図１】
0006741970.tif 000002
【図２】
0006741970.tif 000003
【図３】
0006741970.tif 000004
【図４】
0006741970.tif 000005
【図５】
0006741970.tif 000006
【図６】
0006741970.tif 000007
【図７】
0006741970.tif 000008
【図８】
0006741970.tif 000009